【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
頭部搭載型ディスプレイシステムであって、
眼の複数の眼画像を捕捉するように構成される画像捕捉デバイスと、
プロセッサであって、前記プロセッサは、
前記複数の眼画像の眼画像毎に、
前記眼画像を前記画像捕捉デバイスから受信することと、
前記眼画像と関連付けられた画質メトリックを判定することと、
前記判定された画質メトリックと画質閾値を比較し、前記眼画像が前記画質閾値を超過しているかどうかを判定することであって、前記画質閾値は、虹彩コードを生成するための画質レベルに対応する、ことと、
前記複数の眼画像から、前記画質閾値を超過する２つの眼画像を選択することと、
前記選択された２つの眼画像の両方を利用し、第１の虹彩コード動作を使用して第１の虹彩コードを生成することと、
前記選択された２つの眼画像の両方を利用し、前記第１の虹彩コード動作とは異なる第２の虹彩コード動作を使用して第２の虹彩コードを生成することと、
前記第１の虹彩コードに基づいて、第１の信頼度スコアを判定することと、
前記第２の虹彩コードに基づいて、第２の信頼度スコアを判定することと
を行うようにプログラムされる、プロセッサと
を備える、頭部搭載型ディスプレイシステム。
【請求項２】
前記画質閾値を超過する前記２つの眼画像を選択するために、前記プロセッサは、前記選択された眼画像を前記プロセッサのバッファの中にバッファするようにプログラムされる、請求項１に記載の頭部搭載型ディスプレイシステム。
【請求項３】
前記画質閾値を超過する前記２つの眼画像を選択するために、前記プロセッサは、前記眼画像の極座標表現を利用するようにプログラムされる、請求項１に記載の頭部搭載型ディスプレイシステム。
【請求項４】
前記第１の虹彩コード動作は、画像融合動作を含み、前記第２の虹彩コード動作は、虹彩融合動作を含む、請求項１に記載の頭部搭載型ディスプレイシステム。
【請求項５】
前記第１の虹彩コード動作および前記第２の虹彩コード動作は、並行してまたは連続して行われる、請求項４に記載の頭部搭載型ディスプレイシステム。
【請求項６】
前記プロセッサは、
前記選択された２つの眼画像のうちの少なくとも１つの眼姿勢を判定することと、
前記選択された２つの眼画像のうちの少なくとも１つの眼姿勢を使用して、前記眼のバイオメトリックデータを判定することと
を行うようにさらにプログラムされる、請求項４に記載の頭部搭載型ディスプレイシステム。
【請求項７】
前記眼画像を前記画像捕捉デバイスから受信するために、前記プロセッサは、前記プロセッサによって実装される眼画像収集ルーチンの間、前記眼画像を前記画像捕捉デバイスから受信するようにプログラムされる、請求項１に記載の頭部搭載型ディスプレイシステム。
【請求項８】
前記眼画像収集ルーチンは、グラフィックを利用して、眼画像を得る、請求項７に記載の頭部搭載型ディスプレイシステム。
【請求項９】
前記画質閾値を超過する前記眼画像を選択するために、前記プロセッサは、
前記複数の眼画像の第１の眼画像をバッファの中にバッファすることと、
前記複数の眼画像の第２の眼画像の画質メトリックが前記第１の眼画像の画質メトリックを超過することを判定することと、
前記第１の眼画像を前記バッファ内の前記第２の眼画像と置換することであって、前記第２の眼画像は、前記選択された眼画像に対応する、ことと
を行うようにプログラムされる、請求項１に記載の頭部搭載型ディスプレイシステム。
【請求項１０】
前記画質メトリックは、前記眼画像のぼけと関連付けられたぼけ画質に対応し、前記眼画像のぼけは、基準眼画像に対する前記眼画像内の眼移動度に対応する、請求項１に記載の頭部搭載型ディスプレイシステム。
【請求項１１】
前記画質メトリックは、前記眼画像内の非閉塞ピクセルの量に対応する、請求項１に記載の頭部搭載型ディスプレイシステム。
【請求項１２】
前記画質メトリックは、眼瞬目、グレア、焦点ずれ、分解能、閉塞ピクセル、非閉塞ピクセル、雑音、アーチファクト、ぼけ、またはそれらの組み合わせのうちの少なくとも１つの測定を備える、請求項１に記載の頭部搭載型ディスプレイシステム。
【請求項１３】
前記画質メトリックは、複数の成分品質メトリックの加重された組み合わせを備える、請求項１に記載の頭部搭載型ディスプレイシステム。
【請求項１４】
眼画像を処理するための方法であって、前記方法は、
プロセッサの制御下で、
複数の眼画像を得ることと、
前記複数の眼画像の眼画像毎に、
各眼画像と関連付けられた画質メトリックを判定することと、
各判定された画質メトリックと画質閾値を比較し、前記眼画像が前記画質閾値を超過しているかどうかを判定することであって、前記画質閾値は、虹彩コードを生成するための画質レベルに対応する、ことと、
前記複数の眼画像から、非空の眼画像のセットを選択することと、
第１の虹彩コード動作を使用して第１の虹彩コードを生成するために前記眼画像のセットを利用することと、
前記第１の虹彩コード動作とは異なる第２の虹彩コード動作を使用して第２の虹彩コードを生成するために前記眼画像のセットを利用することと、
前記第１の虹彩コードに基づいて、第１の信頼度スコアを判定することと、
前記第２の虹彩コードに基づいて、第２の信頼度スコアを判定することと
を含む、方法。
【請求項１５】
前記非空の眼画像のセットを選択することは、前記選択されるべき画質閾値を超過する、前記複数の眼画像の眼画像のパーセンテージを識別することを含む、請求項１４に記載の方法。
【請求項１６】
前記非空の眼画像のセットを選択することは、
選択されるべき眼画像の総数を識別することと、
前記眼画像のセットを識別することであって、それぞれ、前記セット内にない眼画像の判定された画質メトリックを上回るかまたはそれと等しい、判定された画質メトリックを有する、ことと
を含む、請求項１４に記載の方法。
【請求項１７】
前記非空の眼画像のセット内の各眼画像は、前記画質閾値を超過する、請求項１４に記載の方法。
【請求項１８】
前記非空の眼画像のセットおよび前記対応する判定された画質メトリックをデータ媒体内にバッファすることをさらに含む、請求項１４に記載の方法。
【請求項１９】
前記画質閾値を超過する付加的眼画像を得ることと、
前記データ媒体内にバッファされた前記非空の眼画像のセットの眼画像を選択することと、
前記付加的眼画像の画質メトリックが前記データ媒体内にバッファされた前記非空の眼画像のセットの眼画像の画質メトリックを超過することを判定することと、
前記データ媒体内において、前記データ媒体内にバッファされた前記非空の眼画像のセットの前記選択された眼画像および前記データ媒体内にバッファされた前記非空の眼画像のセットの前記選択された眼画像の画質メトリックを、それぞれ、前記付加的眼画像および前記付加的眼画像の画質メトリックと置換することと
をさらに含む、請求項１８に記載の方法。
【請求項２０】
前記画質メトリックは、眼瞬目、グレア、焦点ずれ、分解能、閉塞ピクセル、非閉塞ピクセル、雑音、アーチファクト、ぼけ、またはそれらの組み合わせのうちの１つまたは複数の測定を備える、請求項１４〜１９のいずれか１項に記載の方法。
【請求項２１】
前記プロセッサは、
前記第１の信頼度スコアが前記第２の信頼度スコアを越える場合に、前記第１の虹彩コードを選択することと、
前記第１の信頼度スコアが前記第２の信頼度スコアを越えない場合に、前記第２の虹彩コードを選択することと
を行うようにさらにプログラムされる、請求項１に記載の頭部搭載型ディスプレイシステム。
【請求項２２】
前記第１の信頼度スコアが前記第２の信頼度スコアを越える場合に、前記第１の虹彩コードを選択することと、
前記第１の信頼度スコアが前記第２の信頼度スコアを越えない場合に、前記第２の虹彩コードを選択することと
をさらに含む、請求項１４に記載の方法。
【請求項２３】
前記第１の虹彩コード動作は、画像融合動作を含み、前記第２の虹彩コード動作は、虹彩融合動作を含む、請求項１４に記載の方法。
【手続補正２】
【補正対象書類名】明細書
【補正対象項目名】０００７
【補正方法】変更
【補正の内容】
【０００７】
別の側面では、眼画像組み合わせのための方法が、説明される。本方法は、ハードウェアコンピュータプロセッサの制御下で行われる。本方法は、複数の眼画像にアクセスするステップと、（１）複数の眼画像の画像融合動作、（２）複数の眼画像上の虹彩コード融合動作、または（１）および（２）の両方を行うステップとを含む。画像融合動作は、複数の眼画像の少なくともいくつかを融合し、ハイブリッド画像を提供するステップと、ハイブリッド虹彩コードをハイブリッド画像から生成するステップとを含む。虹彩コード融合動作は、複数の眼画像内の眼画像の少なくともいくつかに関する虹彩コードを生成するステップと、生成された虹彩コードをマージし、ハイブリッド虹彩コードを提供するステップとを含む。頭部搭載型ディスプレイシステムは、眼画像組み合わせのための方法を行うプロセッサを含むことができる。
本発明は、例えば、以下を提供する。
（項目１）
ウェアラブルディスプレイシステムであって、
前記ウェアラブルディスプレイシステムの装着者から眼画像を捕捉するように構成される画像捕捉デバイスと、
前記眼画像を記憶するように構成される非一過性メモリと、
複数の眼姿勢領域を備えるディスプレイと、
前記非一過性メモリおよび前記ディスプレイと通信するプロセッサであって、前記プロセッサは、
アバタの表示を前記ディスプレイ上の前記複数の眼姿勢領域の第１の眼姿勢領域内に生じさせることと、
眼の第１の眼画像を前記画像捕捉デバイスから得ることであって、前記第１の眼画像は、前記第１の眼姿勢領域と関連付けられている、ことと、
前記第１の眼画像の第１の画質メトリックが第１の画質閾値を超過していることを判定することと、
前記アバタの表示を前記ディスプレイ上の前記複数の眼領域の第２の眼姿勢領域内に生じさせることと、
前記眼の第２の眼画像を前記画像捕捉デバイスから得ることであって、前記第２の眼画像は、第２の眼姿勢領域と関連付けられている、ことと、
前記第２の眼画像の第１の画質メトリックが第２の画質閾値を超過していることを判定することと、
少なくとも部分的に、前記第１の眼画像および前記第２の眼画像に基づいて、前記眼に関する虹彩コードを生成することと、
前記ディスプレイ上における画像の後続表示または前記ウェアラブルディスプレイシステムによるバイオメトリックアプリケーションのために前記生成された虹彩コードを利用することと
を行うようにプログラムされる、プロセッサと
を備える、ウェアラブルディスプレイシステム。
（項目２）
前記プロセッサはさらに、前記ディスプレイ上の前記複数の眼領域内における前記アバタに関する表示モードを受信するようにプログラムされる、項目１に記載のウェアラブルディスプレイシステム。
（項目３）
前記プロセッサはさらに、前記ディスプレイ上の前記第１の眼領域内における前記アバタに関する表示モードを受信するようにプログラムされる、項目１に記載のウェアラブルディスプレイシステム。
（項目４）
前記表示モードは、ランダムモード、順次モード、飛行モード、明滅モード、変動モード、ストーリーモード、またはそれらの組み合わせのうちの少なくとも１つを備える、項目２−３のいずれか１項に記載のウェアラブルディスプレイシステム。
（項目５）
前記第１の画質閾値は、前記第１の眼姿勢領域に関する画質レベルに対応し、
前記第２の画質閾値は、前記第２の眼姿勢領域に関する画質レベルに対応する、
項目１に記載のウェアラブルディスプレイシステム。
（項目６）
前記第１の画質閾値は、前記第１の眼画像に関する画質レベルに対応し、
前記第２の画質閾値は、前記第２の眼画像に関する画質レベルに対応する、
項目１に記載のウェアラブルディスプレイシステム。
（項目７）
前記プロセッサはさらに、
前記アバタの表示を前記ディスプレイ上の前記複数の眼領域の第３の眼姿勢領域内に生じさせることと、
前記眼の第３の眼画像を前記画像捕捉デバイスから得ることであって、前記第３の眼画像は、第３の眼姿勢領域と関連付けられている、ことと、
前記第３の眼画像の第３の画質メトリックが第３の画質閾値を超過しないことを判定することと
を行うようにプログラムされる、項目１に記載のウェアラブルディスプレイシステム。
（項目８）
前記プロセッサはさらに、
前記眼の第４の眼画像を前記画像捕捉デバイスから得ることであって、前記第４の眼画像は、前記第３の眼姿勢領域と関連付けられている、ことと、
前記第４の眼画像の第４の画質メトリックが第３の画質閾値を超過することを判定することと
を行うようにプログラムされる、項目７に記載のウェアラブルディスプレイシステム。
（項目９）
前記眼に関する虹彩コードを判定するために、前記プロセッサは、少なくとも部分的に、前記第１の眼画像、前記第２の眼画像、および前記第４の眼画像に基づいて、前記虹彩コードを判定するようにプログラムされる、項目８に記載のウェアラブルディスプレイシステム。
（項目１０）
前記プロセッサはさらに、前記第３の眼画像および前記第４の眼画像を組み合わせ、前記第３の眼姿勢領域に関するハイブリッド眼画像を得るようにプログラムされ、
前記眼に関する虹彩コードを判定するために、前記プロセッサは、少なくとも部分的に、前記第１の眼画像、前記第２の眼画像、および前記ハイブリッド眼画像に基づいて、前記虹彩コードを判定するようにプログラムされる、
項目８に記載のウェアラブルディスプレイシステム。
（項目１１）
頭部搭載型ディスプレイシステムであって、
眼画像を捕捉するように構成される画像捕捉デバイスと、
複数の眼姿勢領域を備えるディスプレイと、
前記画像捕捉デバイスおよび前記ディスプレイと通信するプロセッサであって、前記プロセッサは、
第１のグラフィックの表示を前記ディスプレイ上の前記複数の眼姿勢領域の第１の眼姿勢領域内に生じさせることと、
前記第１の眼姿勢領域内の第１の眼画像を前記画像捕捉デバイスから得ることと、
前記第１の眼画像の第１のメトリックが第１の閾値を超過していることを判定することと、
第２のグラフィックの表示を前記ディスプレイ上の前記複数の眼姿勢領域の第２の眼姿勢領域内に生じさせることと、
前記第２の眼姿勢領域内の第２の眼画像を前記画像捕捉デバイスから得ることと、
前記第２の眼画像の第２のメトリックが第２の閾値を超過していることを判定することと
を行うようにプログラムされる、プロセッサと
を備える、頭部搭載型ディスプレイシステム。
（項目１２）
前記プロセッサはさらに、
少なくとも部分的に、前記第１の眼画像および前記第２の眼画像に基づいて、虹彩コードを判定することと、
前記ディスプレイ上における画像の表示または前記頭部搭載型ディスプレイシステムによるバイオメトリックアプリケーションのために前記判定された虹彩コードを利用することと
を行うようにプログラムされる、項目１１に記載の頭部搭載型ディスプレイシステム。
（項目１３）
前記第１の眼画像は、前記頭部搭載型ディスプレイシステムのユーザの第１の眼姿勢に対応する、項目１１に記載の頭部搭載型ディスプレイシステム。
（項目１４）
前記ディスプレイは、前記第１のグラフィックまたは前記第２のグラフィックを複数の深度平面にわたって前記頭部搭載型ディスプレイシステムのユーザに提示するように構成される、項目１１に記載の頭部搭載型ディスプレイシステム。
（項目１５）
前記ディスプレイは、複数のスタックされた導波管を備える、項目１４に記載の頭部搭載型ディスプレイシステム。
（項目１６）
前記ディスプレイは、前記第１のグラフィックまたは前記第２のグラフィックのライトフィールド画像を前記頭部搭載型ディスプレイシステムのユーザに提示するように構成される、項目１１に記載の頭部搭載型ディスプレイシステム。
（項目１７）
前記第１のグラフィックは、前記ディスプレイ上の前記複数の眼姿勢領域の第１の眼姿勢領域に表示されたとき、前記眼を前記ディスプレイ上の前記複数の眼姿勢領域の第１の眼姿勢領域に向かって指向させ、
前記第２のグラフィックは、前記ディスプレイ上の前記複数の眼姿勢領域の第２の眼姿勢領域に表示されたとき、前記眼を前記ディスプレイ上の前記複数の眼姿勢領域の第２の眼姿勢領域に向かって指向させる、
項目１１に記載の頭部搭載型ディスプレイシステム。
（項目１８）
前記第２のグラフィックは、前記ディスプレイ上の前記複数の眼姿勢領域の第２の眼姿勢領域に表示されたとき、前記眼の眼姿勢を変化させるように構成される、項目１１に記載の頭部搭載型ディスプレイシステム。
（項目１９）
前記第１のグラフィックまたは前記第２のグラフィックは、蝶のグラフィカル表現を備える、項目１１に記載の頭部搭載型ディスプレイシステム。
（項目２０）
前記プロセッサはさらに、
前記ディスプレイ上の前記複数の眼姿勢領域内における前記グラフィックに関する表示モードを受信することであって、前記表示モードは、ランダムモード、順次モード、飛行モード、明滅モード、変動モード、ストーリーモード、またはそれらの組み合わせのうちの少なくとも１つを備える、ことを行うようにプログラムされる、項目１１−１９のいずれか１項に記載の頭部搭載型ディスプレイシステム。
（項目２１）
前記第１の眼姿勢領域は、最小方位角偏向、最大方位角偏向、最小天頂偏向、および最大天頂偏向を備える、眼姿勢領域によって画定される、項目１１に記載の頭部搭載型ディスプレイシステム。
（項目２２）
前記第１のグラフィックは、前記第２のグラフィックと同一である、項目１１に記載の頭部搭載型ディスプレイシステム。
（項目２３）
虹彩コードを生成するための方法であって、
プロセッサの制御下で、
複数の眼姿勢領域を接続する経路に沿って、グラフィックを表示するステップと、
前記経路に沿った複数の場所における眼画像を得るステップと、
少なくとも部分的に、前記得られた眼画像の少なくともいくつかに基づいて、虹彩コードを生成するステップと、
を含む、方法。
（項目２４）
前記経路に沿った複数の場所において得られる眼画像は、前記虹彩コード内の脆弱ビットの低減を提供する、項目２３に記載の方法。
（項目２５）
前記虹彩コードを生成するために使用される得られた眼画像の少なくともいくつかはそれぞれ、品質閾値を超過する品質メトリックを有する、項目２３−２４のいずれか１項に記載の方法。
（項目２６）
頭部搭載型ディスプレイシステムであって、
複数の眼画像を捕捉するように構成される画像捕捉デバイスと、
プロセッサであって、
前記複数の眼画像の眼画像毎に、
複数の眼姿勢領域の眼姿勢領域を各眼画像に割り当てることと、
各眼画像内の眼姿勢の表現を判定することと、
前記判定された表現のセットを融合し、ハイブリッド眼画像を生成することと、
前記ハイブリッド眼画像の虹彩コードを生成することと、
前記判定された虹彩コードと関連付けられた信頼度スコアを判定することであって、前記信頼度スコアは、少なくとも部分的に、前記ハイブリッド眼画像を生成するために利用される前記判定された表現のセットに基づく、ことと
を行うようにプログラムされる、プロセッサと
を備える、頭部搭載型ディスプレイシステム。
（項目２７）
前記判定された表現のセットを融合するために、前記プロセッサは、画質閾値を超過する前記判定された表現のセットを選択するようにプログラムされ、前記画質閾値は、バイオメトリックアプリケーションの利用のための画質に対応する、項目２６に記載の頭部搭載型ディスプレイシステム。
（項目２８）
前記判定された表現のセットを融合するために、前記プロセッサは、超分解能アルゴリズムを利用するようにプログラムされる、項目２６に記載の頭部搭載型ディスプレイシステム。
（項目２９）
前記プロセッサはさらに、
前記信頼度スコアが信頼度閾値を超過しないことを判定することであって、前記信頼度閾値は、前記頭部搭載型ディスプレイシステムと関連付けられたアプリケーションのための具体的アクセスレベルに対応する、ことと、
前記頭部搭載型ディスプレイシステムと関連付けられたアプリケーションに実行を終了させることと
を行うようにプログラムされる、項目２６に記載の頭部搭載型ディスプレイシステム。
（項目３０）
前記プロセッサはさらに、
前記信頼度スコアが信頼度閾値を超過することを判定することであって、前記信頼度閾値は、前記頭部搭載型ディスプレイシステムと関連付けられたアプリケーションのための具体的アクセスレベルに対応する、ことと、
前記頭部搭載型ディスプレイシステムと関連付けられたアプリケーションに承認を示させることと
を行うようにプログラムされる、項目２６に記載の頭部搭載型ディスプレイシステム。
（項目３１）
前記プロセッサはさらに、前記頭部搭載型ディスプレイシステム上に表示されるレベルインジケータを修正し、前記アプリケーションによる承認を示すようにプログラムされる、項目３０に記載の頭部搭載型ディスプレイシステム。
（項目３２）
前記プロセッサはさらに、前記頭部搭載型ディスプレイシステムのオーディオユニットに音を放出させるようにプログラムされる、項目３０に記載の頭部搭載型ディスプレイシステム。
（項目３３）
前記プロセッサはさらに、前記頭部搭載型ディスプレイシステムのディスプレイに承認テキストを表示させるようにプログラムされる、項目３０に記載の頭部搭載型ディスプレイシステム。
（項目３４）
前記プロセッサはさらに、前記ハイブリッド眼画像を使用して、前記眼のバイオメトリックデータを判定するようにプログラムされる、項目２６−３３のいずれか１項に記載の頭部搭載型ディスプレイシステム。
（項目３５）
頭部搭載型ディスプレイシステムであって、
複数の眼画像を捕捉するように構成される画像捕捉デバイスと、
プロセッサであって、
前記複数の眼画像の画像毎に、
複数の眼姿勢領域の眼姿勢領域を各眼画像に割り当てることと、
各眼画像内の眼姿勢の表現を判定することと、
眼画像毎に、虹彩コードを生成することと、
各生成された虹彩コードをマージし、ハイブリッド虹彩コードを生成することと、
前記ハイブリッド虹彩コードと関連付けられた信頼度スコアを判定することであって、前記信頼度スコアは、少なくとも部分的に、前記修正された眼画像を生成するために利用される前記判定された虹彩コードに基づく、ことと
を行うようにプログラムされる、プロセッサと
を備える、頭部搭載型ディスプレイシステム。
（項目３６）
各判定された虹彩コードをマージするために、前記プロセッサは、各判定された虹彩コードと閾値スコアを比較するようにプログラムされ、前記閾値スコアは、前記眼画像の品質レベルに対応する、項目３５に記載の頭部搭載型ディスプレイシステム。
（項目３７）
各判定された虹彩コードをマージするために、前記プロセッサは、メディアンフィルタ、ベイズフィルタ、または虹彩コードをマージするように構成される任意のフィルタのうちの少なくとも１つを利用するようにプログラムされる、項目３５に記載の頭部搭載型ディスプレイシステム。
（項目３８）
前記プロセッサはさらに、
前記信頼度スコアが信頼度閾値を超過しないことを判定することであって、前記信頼度閾値は、前記頭部搭載型ディスプレイシステムと関連付けられたアプリケーションのための具体的アクセスレベルに対応する、ことと、
前記頭部搭載型ディスプレイシステムと関連付けられたアプリケーションに実行を終了させることと
を行うようにプログラムされる、項目３５に記載の頭部搭載型ディスプレイシステム。
（項目３９）
前記プロセッサはさらに、
前記信頼度スコアが前記信頼度閾値を超過することを判定することと、
前記頭部搭載型ディスプレイシステムと関連付けられたアプリケーションに承認を示させることと
を行うようにプログラムされる、項目３５に記載の頭部搭載型ディスプレイシステム。
（項目４０）
前記プロセッサはさらに、前記頭部搭載型ディスプレイシステム上に表示されるセキュリティバーを修正するようにプログラムされる、項目３９に記載の頭部搭載型ディスプレイシステム。
（項目４１）
前記プロセッサはさらに、前記頭部搭載型ディスプレイシステムのオーディオユニットに音を放出させるようにプログラムされる、項目３９に記載の頭部搭載型ディスプレイシステム。
（項目４２）
前記プロセッサはさらに、前記頭部搭載型ディスプレイシステムのディスプレイにテキストインジケーションを表示するようにプログラムされる、項目３９に記載の頭部搭載型ディスプレイシステム。
（項目４３）
眼の虹彩コードを得るための方法であって、前記方法は、
プロセッサの制御下で、
複数の眼画像にアクセスするステップと、
（１）前記複数の眼画像の画像融合動作、（２）前記複数の眼画像上の虹彩コード融合動作、または（１）および（２）の両方を行うステップであって、
前記画像融合動作は、
前記複数の眼画像の少なくともいくつかを融合し、ハイブリッド画像を生成するステップと、
ハイブリッド虹彩コードを前記ハイブリッド画像から生成するステップと
を含み、
前記虹彩コード融合動作は、
前記複数の眼画像内の眼画像の少なくともいくつかに関する虹彩コードを生成するステップと、
前記生成された虹彩コードをマージし、ハイブリッド虹彩コードを生成するステップと、
を含む、ステップと
を含む、方法。
（項目４４）
前記複数の眼画像内の眼画像毎に、眼姿勢を識別するステップをさらに含む、項目４３に記載の方法。
（項目４５）
前記画像融合動作または前記虹彩コード融合動作は、画質閾値を超過する画質メトリックを有する１つまたはそれを上回る眼画像のみにおいて行われる、項目４３に記載の方法。
（項目４６）
前記ハイブリッド虹彩コードに関する信頼度スコアを生成するステップをさらに含む、項目４３に記載の方法。
（項目４７）
バイオメトリックアプリケーションのために前記ハイブリッド虹彩コードを利用するステップをさらに含む、項目４３−４６のいずれか１項に記載の方法。
（項目４８）
脆弱ビットを補正するステップをさらに含む、項目４３に記載の方法。
（項目４９）
眼画像を処理するための方法であって、前記方法は、
プロセッサの制御下で、
第１の複数の眼画像の眼画像毎に、
前記第１の複数の眼画像の眼画像毎に、複数の眼姿勢領域の眼姿勢領域を割り当てるステップと、
前記第１の複数の眼画像の眼画像毎に、第１の眼姿勢を識別するステップと、
各識別された第１の眼姿勢の第１のデジタル表現を判定するステップと、
複数の眼姿勢領域の眼姿勢領域毎に、
第１の非空の判定された第１のデジタル表現のセットを選択するステップであって、前記第１の非空の判定された第１のデジタル表現のセットの各判定された第１のデジタル表現は、画質閾値を超過する、ステップと、
前記選択された第１の非空の判定された第１のデジタル表現のセットの判定された第１のデジタル表現を組み合わせ、第１のハイブリッド画像を生成するステップと、
前記第１のハイブリッド画像の第１の虹彩コードを生成するステップと、
前記判定された第１の虹彩コードと関連付けられた第１の信頼度スコアを判定するステップであって、前記第１の信頼度スコアは、少なくとも部分的に、前記第１のハイブリッド画像を生成するために使用される前記選択された第１の非空セット内の前記判定された第１のデジタル表現の総数に基づく、ステップと、
バイオメトリックアプリケーションのために前記判定された第１の信頼度スコアを利用するステップと
を含む、方法。
（項目５０）
前記第１の信頼度スコアがバイオメトリックセキュリティ信頼度閾値を超過しないことを判定するステップであって、前記バイオメトリックセキュリティ信頼度閾値は、バイオメトリックデータと関連付けられたアプリケーションのための具体的アクセスレベルに対応する、ステップと、
前記アプリケーションの実行を終了させるステップと
をさらに含む、項目４９に記載の方法。
（項目５１）
第２の複数の眼画像を得るステップと、
前記第２の複数の眼画像の眼画像毎に、
前記第２の複数の眼画像の眼画像毎に、前記複数の眼姿勢領域の眼姿勢領域を割り当てるステップと、
前記第２の複数の眼画像の眼画像毎に、第２の眼姿勢を識別するステップと、
各識別された第２の眼姿勢の第２のデジタル表現を判定するステップと、
前記複数の眼姿勢領域の眼姿勢領域毎に、
第２の非空の判定された第２のデジタル表現のセットを選択するステップであって、前記第２の非空の判定された第２のデジタル表現のセットの各判定された第２のデジタル表現は、画像セキュリティ閾値を超過する、ステップと、
前記選択された第２の非空の判定された第２のデジタル表現のセットを組み合わせ、第２のハイブリッド眼画像を生成するステップと、
前記第２のハイブリッド画像の第２の虹彩コードを生成するステップと、
前記判定された第２の虹彩コードと関連付けられた第２の信頼度スコアを判定するステップであって、前記第２の信頼度スコアは、少なくとも部分的に、前記第２のハイブリッド画像を生成するために使用される前記選択された第２の非空セット内の前記判定された第２のデジタル表現の総数に基づく、ステップと
をさらに含む、項目４９−５０のいずれか１項に記載の方法。
（項目５２）
前記第２の信頼度スコアが前記バイオメトリックセキュリティ信頼度閾値を超過することを判定するステップと、
バイオメトリックアプリケーションに、承認インジケーションを第１の複数の眼画像および前記第２の複数の眼画像と関連付けられたユーザに示させるステップと
をさらに含む、項目５１に記載の方法。
（項目５３）
前記承認インジケーションは、頭部搭載型ディスプレイ（ＨＭＤ）のディスプレイ上のセキュリティバー上のレベル、前記ＨＭＤのオーディオユニットから放出される音、および前記ＨＭＤのディスプレイ上のテキストインジケーションのうちの少なくとも１つに対応する、項目５２に記載の方法。
（項目５４）
金融取引のためのアプリケーションへのアクセスのための要求を伝送するステップであって、前記要求は、前記承認インジケーションの表現を備える、ステップをさらに含む、項目５２に記載の方法。
（項目５５）
バイオメトリックセキュリティ信頼度閾値は、前記金融取引と関連付けられたアカウントにアクセスするために要求される画質レベルを備える、項目５２に記載の方法。
（項目５６）
前記アカウントにアクセスするために要求される画質レベルは、少なくとも１つの画質メトリックを備える、項目５５に記載の方法。
（項目５７）
眼画像を処理するための方法であって、前記方法は、
プロセッサの制御下で、
眼の複数の眼画像の眼画像毎に、
眼画像毎に、眼姿勢を識別するステップと、
前記識別された眼姿勢のデジタル表現を判定するステップと、
眼画像毎に、虹彩コードを生成するステップと、
各眼画像の前記生成された虹彩コードを組み合わせ、ハイブリッド虹彩コードを生成するステップと、
前記ハイブリッド虹彩コードと関連付けられた信頼度スコアを判定するステップであって、前記信頼度スコアは、前記ハイブリッド虹彩コードを生成するために、少なくとも部分的に、前記組み合わせられた判定された虹彩コードの総数に基づく、ステップと、
バイオメトリックアプリケーションのために前記判定された信頼度スコアを利用するステップと
を含む、方法。
（項目５８）
前記信頼度スコアがバイオメトリックセキュリティ信頼度閾値を超過しないことを判定するステップであって、前記バイオメトリックセキュリティ信頼度閾値は、バイオメトリックデータと関連付けられたアプリケーションのための具体的アクセスレベルに対応する、ステップと、
前記バイオメトリックデータと関連付けられたアプリケーションに実行を終了させるステップと
をさらに含む、項目５７に記載の方法。
（項目５９）
前記信頼度スコアがバイオメトリックセキュリティ信頼度閾値を超過することを判定するステップと、
バイオメトリックアプリケーションに承認インジケーションを前記複数の眼画像と関連付けられたユーザに示させるステップと
をさらに含む、項目５７に記載の方法。
（項目６０）
前記承認インジケーションは、頭部搭載型ディスプレイ（ＨＭＤ）のディスプレイ上のセキュリティバー上のレベル、前記ＨＭＤのオーディオユニットから放出される音、および前記ＨＭＤのディスプレイ上のテキストインジケーションのうちの少なくとも１つを備える、項目５９に記載の方法。
（項目６１）
前記バイオメトリックセキュリティ信頼度閾値は、前記金融取引と関連付けられたアカウントにアクセスするために要求される画質レベルに対応する、項目５９に記載の方法。
（項目６２）
金融取引のためのアプリケーションへのアクセスのための要求を伝送するステップであって、前記要求は、前記承認インジケーションの表現を備える、ステップをさらに含む、項目５７−６１のいずれか１項に記載の方法。
（項目６３）
頭部搭載型ディスプレイシステムであって、
眼の複数の眼画像を捕捉するように構成される画像捕捉デバイスと、
プロセッサであって、前記プロセッサは、
前記複数の眼画像の眼画像毎に、
前記眼画像を前記画像捕捉デバイスから受信することと、
前記眼画像と関連付けられた画質メトリックを判定することと、
前記判定された画質メトリックと画質閾値を比較し、前記眼画像が前記画質閾値を超過しているかどうかを判定することであって、前記画質閾値は、虹彩コードを生成するための画質レベルに対応する、ことと、
前記複数の眼画像から、前記画質閾値を超過する眼画像を選択することと、
前記選択された眼画像を利用し、虹彩コードを生成することと
を行うようにプログラムされる、プロセッサと
を備える、頭部搭載型ディスプレイシステム。
（項目６４）
前記画質閾値を超過する前記眼画像を選択するために、前記プロセッサは、前記選択された眼画像を前記プロセッサのバッファの中にバッファするようにプログラムされる、項目６３に記載の頭部搭載型ディスプレイシステム。
（項目６５）
前記画質閾値を超過する前記眼画像を選択するために、前記プロセッサは、前記眼画像の極座標表現を利用するようにプログラムされる、項目６３に記載の頭部搭載型ディスプレイシステム。
（項目６６）
前記プロセッサはさらに、画像融合動作および虹彩融合動作を行うようにプログラムされる、項目６３に記載の頭部搭載型ディスプレイシステム。
（項目６７）
前記画像融合動作および前記虹彩融合動作は、実質的に同時に、または連続して、前記生成された虹彩コードの一貫性を検証するために行われる、項目６６に記載の頭部搭載型ディスプレイシステム。
（項目６８）
前記プロセッサはさらに、
前記選択された眼画像の眼姿勢を判定することと、
前記選択された眼画像の眼姿勢を使用して、前記眼のバイオメトリックデータを判定することと
を行うようにプログラムされる、項目６６に記載の頭部搭載型ディスプレイシステム。
（項目６９）
前記眼画像を前記画像捕捉デバイスから受信するために、前記プロセッサは、前記プロセッサによって実装される眼画像収集ルーチンの間、前記眼画像を前記画像捕捉デバイスから受信するようにプログラムされる、項目６３に記載の頭部搭載型ディスプレイシステム。
（項目７０）
前記眼画像収集ルーチンは、グラフィックを利用して、眼画像を得る、項目６９に記載の頭部搭載型ディスプレイシステム。
（項目７１）
前記画質閾値を超過する前記眼画像を選択するために、前記プロセッサは、
前記複数の眼画像の第１の眼画像をバッファの中にバッファすることと、
前記複数の眼画像の第２の眼画像の画質メトリックが前記第１の眼画像の画質メトリックを超過することを判定することと、
前記第１の眼画像を前記バッファ内の前記第２の眼画像と置換することであって、前記第２の眼画像は、前記選択された眼画像に対応する、ことと
を行うようにプログラムされる、項目６３に記載の頭部搭載型ディスプレイシステム。
（項目７２）
前記画質メトリックは、前記眼画像のぼけと関連付けられたぼけ画質に対応し、前記眼画像のぼけは、基準眼画像に対する前記眼画像内の眼移動度に対応する、項目６３に記載の頭部搭載型ディスプレイシステム。
（項目７３）
前記画質メトリックは、前記眼画像内の非閉塞ピクセルの量に対応する、項目６３に記載の頭部搭載型ディスプレイシステム。
（項目７４）
前記画質メトリックは、眼瞬目、グレア、焦点ずれ、分解能、閉塞ピクセル、非閉塞ピクセル、雑音、アーチファクト、ぼけ、またはそれらの組み合わせのうちの１つまたはそれを上回るものに関連する測定を備える、項目６３に記載の頭部搭載型ディスプレイシステム。
（項目７５）
前記画質メトリックは、複数の成分品質メトリックの加重された組み合わせを備える、項目６３に記載の頭部搭載型ディスプレイシステム。
（項目７６）
眼画像を処理するための方法であって、前記方法は、
プロセッサの制御下で、
複数の眼画像を得るステップと、
前記複数の眼画像の眼画像毎に、
各眼画像と関連付けられた画質メトリックを判定するステップと、
各判定された画質メトリックと画質閾値を比較し、前記眼画像が前記画質閾値を超過しているかどうかを判定するステップであって、前記画質閾値は、虹彩コードを生成するための画質レベルに対応する、ステップと、
前記複数の眼画像から、非空の眼画像のセットを選択するステップと、
虹彩コードを生成するために前記眼画像のセットを利用するステップと
を含む、方法。
（項目７７）
前記非空の眼画像のセットを選択するステップは、前記選択されるべき画質閾値を超過する、前記複数の眼画像の眼画像のパーセンテージを識別するステップを含む、項目７６に記載の方法。
（項目７８）
前記非空の眼画像のセットを選択するステップは、
選択されるべき眼画像の総数を識別するステップと、
前記眼画像のセットを識別するステップであって、それぞれ、前記セット内にない眼画像の判定された画質メトリックを上回るかまたはそれと等しい、判定された画質メトリックを有する、ステップと
を含む、項目７６に記載の方法。
（項目７９）
前記非空の眼画像のセット内の各眼画像は、前記画質閾値を超過する、項目７６に記載の方法。
（項目８０）
前記非空の眼画像のセットおよび前記対応する判定された画質メトリックをデータ媒体内にバッファするステップをさらに含む、項目７６に記載の方法。
（項目８１）
前記画質閾値を超過する付加的眼画像を得るステップと、
前記データ媒体内にバッファされた前記非空の眼画像のセットの眼画像を選択するステップと、
前記付加的眼画像の画質メトリックが前記データ媒体内にバッファされた前記非空の眼画像のセットの眼画像の画質メトリックを超過することを判定するステップと、
前記データ媒体内において、前記データ媒体内にバッファされた前記非空の眼画像のセットの前記選択された眼画像および前記データ媒体内にバッファされた前記非空の眼画像のセットの前記選択された眼画像の画質メトリックを、それぞれ、前記付加的眼画像の付加的眼画像および画質メトリックと置換するステップと
をさらに含む、項目８０に記載の方法。
（項目８２）
前記画質メトリックは、眼瞬目、グレア、焦点ずれ、分解能、閉塞ピクセル、非閉塞ピクセル、雑音、アーチファクト、ぼけ、またはそれらの組み合わせのうちの１つまたはそれを上回るものに関連する測定を備える、項目７６−８１のいずれか１項に記載の方法。